(57)【要約】【課題】メンテナンス時の作業員の負担を軽減し、メンテナンスを容易に行うことができるジェットポンプ式移送装置を提供する。【解決手段】被移送物を吸引する吸込管１２と、吸込管に吸引された被移送物を吐出する吐出管１３と、圧力水を供給する圧力水管１４と、圧力水管から供給された圧力水を吐出管内に噴射するジェットノズル１５とを備え、ジェットノズルからの圧力水の噴射によって吸込管に負圧を形成するとともに吐出管に流動を形成するジェットポンプ式移送装置において、圧力水管及び吐出管をジェットノズルの噴射部近傍で分割して圧力水管及び吐出管の下部吸込管側を可動フレーム（下部ケーシング２７）で支持し、吐出管の上部吐出側及び圧力水管の上部供給側を固定フレーム（上部ケーシング２５及び中間ケーシング２６）で支持するとともに、可動フレームと固定フレームとをヒンジ３２で開閉可能に結合する。【選択図】    図１
2004197648.tif 000002
【特許請求の範囲】
【請求項１】
被移送物を吸引する吸込管と、該吸込管に吸引された被移送物を移送先に吐出する吐出管と、圧力水を供給する圧力水管と、該圧力水管から供給された圧力水を前記吐出管内に噴射するジェットノズルとを備え、このジェットノズルからの圧力水の噴射によって前記吸込管に被移送物を吸い込むための負圧を形成するとともに前記吐出管に被移送物を吐出するための流動を形成するジェットポンプ式移送装置において、前記圧力水管及び吐出管を前記ジェットノズルの噴射部近傍で分割して圧力水管及び吐出管の吸込管側を可動フレームで支持し、吐出管の吐出側及び圧力水管の供給側を固定フレームで支持するとともに、前記可動フレームと前記固定フレームとをヒンジ結合により開閉可能に形成したことを特徴とするジェットポンプ式移送装置。
【請求項２】
前記ジェットノズルから噴射する圧力水が気体を含んでいることを特徴とする請求項１記載のジェットポンプ式移送装置。
【発明の詳細な説明】
【０００１】
【発明の属する技術分野】
本発明は、ジェットポンプ式移送装置に関し、例えば、取水設備における沈殿池の沈砂ピットに堆積した砂や小石等を吸い上げて排出するための揚砂装置等に用いられるジェットポンプ式移送装置に関する。
【０００２】
【従来の技術】
ジェットポンプ式移送装置は、圧力水管から供給される圧力水をジェットノズルから吐出管内に噴射することによって前記吐出管に連通する吸込管内に負圧を形成し、この負圧によって被移送物を吸込管に吸引するとともに、前記噴射によって吐出管内に被移送物を移送するための流動を形成したものである。また、前記圧力水に気体を含めることにより、更に吸引、移送効率を向上させた混気ジェットポンプも知られている（例えば、特許文献１参照。）。
【０００３】
このようなジェットポンプ式移送装置は、砂や石のような固形物を含む液体の移送にも問題なく使用することができるため、水処理における沈殿池の沈砂を吸い上げて排出する用途、すなわち、揚砂機としても多く使用されている。揚砂機としてジェットポンプ式移送装置を使用する場合は、沈殿池に設けられている沈砂ピットの底部に吸込管先端の吸入口を位置させるようにして装置上部を沈殿池上方の水路上部フロアーに設置している（例えば、特許文献２参照。）。
【０００４】
【特許文献１】
特公昭５４−４２６８２号公報
【０００５】
【特許文献２】
特開平９−１５５１０９号公報
【０００６】
【発明が解決しようとする課題】
前述のように、揚砂機としてジェットポンプ式移送装置を使用する場合、吸込管や吐出管の内面、特に、ジェットノズルからの圧力水が噴射される部分の管内面が圧力水の噴射エネルギー及び吸い込まれた砂や石との接触によって摩耗するため、この部分にインナーチューブを挿入して管本体を保護するようにしており、定期的にメンテナンスを行ってインナーチューブを点検し、必要に応じて交換している。このため、揚砂機（ジェットポンプ式移送装置）におけるインナーチューブ装着部を境として上半部と下半部とを分離可能に形成し、上半部と下半部とを分離した状態で前記インナーチューブを交換するようにしている。
【０００７】
しかし、従来の揚砂機では、上半部と下半部とがフランジを介してボルトにより結合されているため、メンテナンスの際には、下半部の全重量を支持した状態で両者を結合している多数のボルトを脱着し、取り外した下半部を適当な位置に運んでからインナーチューブの交換を行う必要があった。このため、重量物である下半部の着脱作業が作業員の大きな負担となっていた。
【０００８】
そこで本発明は、ジェットポンプ式移送装置におけるメンテナンス時の作業員の負担を軽減し、メンテナンス作業を容易に行うことができるジェットポンプ式移送装置を提供することを目的としている。
【０００９】
【課題を解決するための手段】
上記目的を達成するため、本発明のジェットポンプ式移送装置は、被移送物を吸引する吸込管と、該吸込管に吸引された被移送物を移送先に吐出する吐出管と、圧力水を供給する圧力水管と、該圧力水管から供給された圧力水を前記吐出管内に噴射するジェットノズルとを備え、このジェットノズルからの圧力水の噴射によって前記吸込管に被移送物を吸い込むための負圧を形成するとともに前記吐出管に被移送物を吐出するための流動を形成するジェットポンプ式移送装置において、前記圧力水管及び吐出管を前記ジェットノズルの噴射部近傍で分割して圧力水管及び吐出管の吸込管側を可動フレームで支持し、吐出管の吐出側及び圧力水管の供給側を固定フレームで支持するとともに、前記可動フレームと前記固定フレームとをヒンジ結合により開閉可能に形成したことを特徴とし、また、前記ジェットノズルから噴射する圧力水が気体を含んでいることを特徴としている。
【００１０】
【発明の実施の形態】
図は本発明のジェットポンプ式移送装置を揚砂機に適用した一形態例を示すものであって、図１は揚砂機の全体を示す正面図、図２は要部の一部断面正面図、図３は可動フレームを開放した状態を示す要部の一部断面正面図である。
【００１１】
まず、ジェットポンプ式移送装置からなる揚砂機１１は、被移送物である沈砂を吸引するための吸込管１２と、該吸込管１２に連設された吐出管１３と、ジェットポンプの駆動源となる圧力水を供給する圧力水管１４と、該圧力水管１４から供給された圧力水を吐出管１３内に噴射するジェットノズル１５とより形成されており、ジェットノズル１５から噴射された圧力水が直接作用する吐出管１３の内部には、吐出管１３を保護するためのインナーチューブ１６が挿入されている。
【００１２】
吐出管１３及び圧力水管１４は、上方に設置用台座１７を有する角筒状のケーシング１８内に収納保持されており、該ケーシング１８の下端から下方に突出した吐出管１３の下端に、結合フランジ１９によって前記吸込管１２が着脱可能な状態で取り付けられている。吐出管１３の上端には吐出弁２０を介して沈砂排出管２１が接続されており、揚砂機１１に吸引された沈砂は、この沈砂排出管２１を通って所定の移送先に送られる。また、圧力水管１４の上端には圧力水弁２２を介して圧力水を発生させるためのポンプ２３が接続されている。なお、圧力水の一部は、掘削水管２４に分岐して沈砂を流動化させるために用いられる。
【００１３】
前記ケーシング１７は、上部ケーシング２５，中間ケーシング２６及び下部ケーシング２７に分割形成されており、中間ケーシング２６に設けられたワイヤー装着部２８に固定ワイヤー２９が掛け渡され、上部ケーシング２５と中間ケーシング２６とが沈殿槽に対して固定された状態となっている。沈殿槽に対して固定された状態の固定フレームとなる中間ケーシング２６と、これらに対して可動状態にある可動フレームとなる下部ケーシング２７との分割部は、ジェットノズル１５の噴射部近傍で、吐出管１３内に前記インナーチューブ１６を着脱可能な位置に設定されている。
【００１４】
そして、中間ケーシング２６と下部ケーシング２７とは、各端面にそれぞれ設けられた連結フランジ３１を対向させるようにして配置されるとともに、両ケーシングの一側面に設けたヒンジ３２によって分割部を開閉可能な状態として結合されている。この分割部分は、通常使用時は、連結フランジ３１を複数のボルト３３で結合して両ケーシング２６，２７を一体化した状態としている。また、連結フランジ３１の下面には、下部ケーシング吊上用ワイヤーを掛けるためのフック３４が複数箇所に設けられており、ヒンジ設置部側の両ケーシング２６，２７の側面には、下部ケーシング２７を開放状態に保持するための保持ワイヤー３５を掛けるためのワイヤー係止具３６がそれぞれ設けられている。なお、中間ケーシング２６には、上下二箇所にワイヤー係止具３６が設けられており、保持ワイヤー３５の長さに応じて上下いずれかを選択することにより、下部ケーシング２７の開き角度を調節できるようにしている。
【００１５】
このように形成された揚砂機１１は、図１に示すように、沈殿池の水路上部フロアー５１に前記設置用台座１７を固定し、前記吸込管１２の先端の吸込口が沈砂ピット５２の底部に位置するように設置される。圧力水管１４から供給された圧力水は、下端のＵ字管部で上方に向きを変えてジェットノズル１５から吐出管１３の軸線方向に噴射する。この圧力水の噴射により、吸込管１２に被移送物である沈砂を吸い込むための負圧が形成されるとともに、吐出管１３には、沈砂を沈砂排出管２１に向けて吐出するための流動が形成される。同時に、圧力水の一部が掘削水管２４から沈砂に向かって噴出し、沈砂を流動化させて吸込効率を向上させる。このとき、圧力水管１４に空気吸引口を設けてエゼクター作用で圧力水中に空気を取り込み、混気状態でジェットノズル１５から噴射することにより、沈砂の吸引効率や移送効率を大幅に向上させることができる。
【００１６】
揚砂機１１のメンテナンス、例えば、インナーチューブ１６の点検や交換を行う際には、まず、結合フランジ１９のボルト結合を解除して吸込管１２を吐出管１３の下端から取り外す。この吸込管１２は、最大でも口径が１００ｍｍで長さも数ｍであるから、作業員が手で支えた状態で吸込管１２の着脱を行っても大きな負担とはならない。
【００１７】
次に、連結フランジ３１のボルト３３を抜いて下部ケーシング２７を中間ケーシング２６に対して回動可能な状態とする。ボルト３３を抜く際には、下部ケーシング２７をヒンジ設置部側から反対方向（図１において左から右の方向）に向かって抑えておく必要があるが、ヒンジ３２を中心とした回転モーメントを受けるだけであるから、下部ケーシング２７の全重量を支持する場合に比べて極めて小さな力で済む。
【００１８】
全てのボルト３３を抜いた後、図３に示すように、ヒンジ３２を中心として下部ケーシング２７を適当に回転させ、両ケーシング２６，２７のワイヤー係止具３６に適当な長さの保持ワイヤー３５を掛け渡すことにより、下部ケーシング２７を開放した状態に保持することができる。このようにして中間ケーシング２６と下部ケーシング２７との間を開放した状態にすることにより、揚砂機１１におけるメンテナンスを容易かつ安全に行うことが可能となり、インナーチューブ１６の点検や交換、吐出管１３やジェットノズル１５の点検等のメンテナンスにおける作業性を大幅に向上させることができる。
【００１９】
なお、吸込管１２を取り付けたままでも下部ケーシング２７を開閉できる場合には、吸込管１２を取り外さなくてもよい。また、中間ケーシング２６と下部ケーシング２７とを連結フランジ３１でボルト３３により連結して一体化しているが、必要な連結強度に応じてボルト以外の適当な連結手段を採用することができる。さらに、ジェットポンプ式移送装置における全体構成、細部の構造は、前記ヒンジ結合に関する部分を除いて従来と同様に形成することが可能である。また、本発明は、揚砂機以外の用途に使用するジェットポンプ式移送装置にも適用することができる。さらに、インナーチューブの使用も任意であり、吐出管を構成するパイプ自体を交換するものでもよい。
【００２０】
【発明の効果】
以上説明したように、本発明のジェットポンプ式移送装置によれば、装置のメンテナンス、特に、ジェットノズルからの圧力水の噴射によって摩耗しやすい部分の点検や交換を容易に行うことができ、メンテナンス時の作業員の負担を大幅に軽減することができる。
【図面の簡単な説明】
【図１】本発明のジェットポンプ式移送装置を揚砂機に適用した一形態例を示す正面図である。
【図２】要部の一部断面正面図である。
【図３】可動フレームを開放した状態を示す要部の一部断面正面図である。
【符号の説明】
１１…揚砂機、１２…吸込管、１３…吐出管、１４…圧力水管、１５…ジェットノズル、１６…インナーチューブ、１７…設置用台座、１８…ケーシング、１９…結合フランジ、２０…吐出弁、２１…沈砂排出管、２２…圧力水弁、２３…ポンプ、２４…掘削水管、２５…上部ケーシング、２６…中間ケーシング、２７…下部ケーシング、２８…ワイヤー装着部、２９…固定ワイヤー、３１…連結フランジ、３２…ヒンジ、３３…ボルト、３４…フック、３５…保持ワイヤー、３６…ワイヤー係止具、５１…水路上部フロアー、５２…沈砂ピット
【図１】
2004197648.tif 000003
【図２】
2004197648.tif 000004
【図３】
2004197648.tif 000005